(57)【要約】      （修正有）【課題】二次汚染を引き起こしたり、ダストが内部のコンポーネントに吸着されたりすることを回避できる照明器具を提供する。【解決手段】ランプベース９と、駆動部材６と、ファンガードと、ファンガード内に設けられ、かつ駆動部材によって駆動されて回転するファンブレードと、ファンガードに周設され、かつランプベースによって駆動される光源モジュール５と、光を導くための導光板４と、を含み、ファンガードはフロントファンガード１１とバックファンガード１２とを含み、フロントファンガードは空気流出口を備え、バックファンガードは空気流入口を備え、バックファンガードには、バックファンガードに取り外し可能に連結されたフィルター層７が設けられる。【選択図】図２
0003225804.tif 000002
【実用新案登録請求の範囲】
【請求項１】
ファン付き照明器具であって、ランプベースと、駆動部材と、ファンガードと、前記ファンガード内に設けられ、かつ前記駆動部材によって駆動されて回転するファンブレードと、前記ファンガードに周設され、かつ前記ランプベースによって駆動される光源モジュールと、光を導くための導光板と、を含み、前記ファンガードはフロントファンガードとバックファンガードとを含み、前記フロントファンガードは空気流出口を備え、前記バックファンガードは空気流入口を備え、前記バックファンガードには、前記バックファンガードに取り外し可能に連結されたフィルター層が設けられることを特徴とするファン付き照明器具。
【請求項２】
前記フィルター層は活性炭層または繊維層であることを特徴とする請求項１に記載のファン付き照明器具。
【請求項３】
前記フィルター層はカバー形状をして前記バックファンガードを覆って設けられ、前記フィルター層の面積は前記空気流入口の面積よりも大きいことを特徴とする請求項１に記載のファン付き照明器具。
【請求項４】
前記フィルター層は、ネジ、バックル、またはクリップによって前記バックファンガードに取り外し可能に連結されていることを特徴とする請求項１に記載のファン付き照明器具。
【請求項５】
前記光源モジュールおよび前記導光板は両方ともにリング状をしており、且つ両方ともに前記フロントファンガードと前記バックファンガードとの間に挟まれて設けられ、前記光源モジュールは前記導光板の内周側に設けられることを特徴とする請求項１に記載のファン付き照明器具。
【請求項６】
前記ファン付き照明器具は前記フロントファンガード、前記導光板、および前記バックファンガードを固定するための留め具をさらに含み、前記フロントファンガードまたは前記バックファンガードに柱状凸部が突設され、前記フロントファンガードと前記フロントファンガードとの間に前記導光板を収容するためのクランプ溝が形成され、前記柱状凸部には、前記留め具に螺合するネジ穴を備えることを特徴とする請求項５に記載のファン付き照明器具。
【請求項７】
前記ファンブレードの側面に設けられる赤外線受信装置をさらに含み、前記赤外線受信装置は前記ファンブレードに平行に設けられるか、または前記ファンブレードの空気流出端の側に設けられることを特徴とする請求項１に記載のファン付き照明器具。
【請求項８】
前記ファンブレードの側面に設けられる、空気を浄化するためのマイナスイオン発生装置をさらに含み、前記マイナスイオン発生装置の発生端部は、前記ファンブレードに平行に設けられるか、または前記ファンブレードの空気流出端の側に設けられることを特徴とする請求項７に記載のファン付き照明器具。
【請求項９】
前記バックファンガードにホルダーが固定され、前記マイナスイオン発生装置および前記赤外線受信装置は両方ともに前記ホルダーに固定されていることを特徴とする請求項８に記載のファン付き照明器具。
【請求項１０】
前記バックファンガードは前記ランプベースに可動的に連結されていることを特徴とする請求項１から請求項９のいずれか一項に記載のファン付き照明器具。
【考案の詳細な説明】
【技術分野】
【０００１】
本考案は、照明器具技術の分野に属し、具体的には、ファン付き照明器具に関する。
【背景技術】
【０００２】
ファン付き照明器具はファンブレードと光源とを備え、扇風機と照明器具の機能を兼ね備えている。ファン付き照明器具は、室内でよく使用され、エアコンを補助する電気製品として使用できる。ファン付き照明器具は、ファンモジュールの回転により負圧を生じて、気流がファン付き照明器具のバックファンガードから流入し、ファン付き照明器具のフロントファンガードから流出して空気を流させる機能を実現する。この形式では、空気質に関係なく、ファンブレードの回転によって空気をバックファンガードから流入させ、フロントファンガードから吹き出されるため、埃やダニダスト（以下、単に「ダスト」と言う）などが気流の流れによって空気中に散乱して二次汚染を引き起こす。さらに、ファンブレードの回転によって発生する静電気の影響によって、ダストがファンブレード、モーター、ベアリングなどのファン付き照明器具内部のコンポーネントに吸着される。
【考案の概要】
【考案が解決しようとする課題】
【０００３】
本考案は、二次汚染を引き起こしたり、ダストがファン付き照明器具内部のコンポーネントに吸着されたりするという従来技術の技術的問題を解決するためのファン付き照明器具を提供することを目的とする。
【課題を解決するための手段】
【０００４】
上記の目的を実現するために、本考案で採用された技術的解決手段は、
ファン付き照明器具であって、ランプベースと、駆動部材と、ファンガードと、前記ファンガード内に設けられ、かつ前記駆動部材によって駆動されて回転するファンブレードと、前記ファンガードに周設され、かつ前記ランプベースによって駆動される光源モジュールと、光を導くための導光板と、を含み、前記ファンガードはフロントファンガードとバックファンガードとを含み、前記フロントファンガードは空気流出口を備え、前記バックファンガードは空気流入口を備え、前記バックファンガードには、前記バックファンガードに取り外し可能に連結されたフィルター層が設けられる、ファン付き照明器具を提供することである。
【０００５】
一態様において、前記フィルター層は活性炭層または繊維層である。
【０００６】
一態様において、前記フィルター層はカバー形状をして前記バックファンガードを覆って設けられ、前記フィルター層の面積は前記空気流入口の面積よりも大きい。
【０００７】
一態様において、前記フィルター層は、ネジ、バックル、またはクリップによって前記バックファンガードに取り外し可能に連結されている。
【０００８】
一態様において、前記光源モジュールおよび前記導光板は両方ともにリング状をしており、且つ両方ともに前記フロントファンガードと前記バックファンガードとの間に挟まれて設けられ、前記光源モジュールは前記導光板の内周側に設けられる。
【０００９】
一態様において、前記ファン付き照明器具は、前記フロントファンガード、前記導光板、および前記バックファンガードを固定するための留め具をさらに含み、前記フロントファンガードまたは前記バックファンガードに柱状凸部が突設され、前記フロントファンガードと前記フロントファンガードとの間に前記導光板を収容するためのクランプ溝が形成され、前記柱状凸部には、前記留め具に螺合するネジ穴を備える。
【００１０】
一態様において、前記ファン付き照明器具は、前記ファンブレードの側面に設けられる赤外線受信装置をさらに含み、前記赤外線受信装置は前記ファンブレードに平行に設けられるか、または前記ファンブレードの空気流出端の側に設けられる。
【００１１】
一態様において、前記ファンブレードの側面に設けられる、空気を浄化するためのマイナスイオン発生装置をさらに含み、前記マイナスイオン発生装置の発生端部は、前記ファンブレードに平行に設けられるか、または前記ファンブレードの空気流出端の側に設けられる。
【００１２】
一態様において、前記バックファンガードにホルダーが固定され、前記マイナスイオン発生装置および前記赤外線受信装置は両方ともに前記ホルダーに固定されている。
【００１３】
一態様において、前記バックファンガードは前記ランプベースに可動的に連結されている。
【考案の効果】
【００１４】
従来技術に比べると、本考案のファン付き照明器具は、ランプベースと、駆動部材と、ファンガードと、ファンブレードと、光源モジュールと、導光板と、を含み、光源モジュールはファンガードに周設され、かつランプベースによって駆動されて発光し、ファンガードは駆動部材によって駆動されて回転する。ファンガードはフロントファンガードとバックファンガードとを含み、フロントファンガードには空気流出口を備え、バックファンガードには空気流入口を備え、バックファンガードには、フィルター層が設けられ、フィルター層は空気をろ過することができ、空気がろ過された後にファン付き照明器具の内部に入ることができるため、空気流出口から吹き出される空気が浄化された空気であることが保証される。これにより、ダストなどがフィルター層で一斉にブロックされ、ファン付き照明器具の内部に吸着しない。また、フィルター層が脱着可能であり、定期的に交換できるため、空気のろ過効果が保証される。
【図面の簡単な説明】
【００１５】
本考案の実施形態に係る技術的解決手段をより明らかにするために、以下、実施例又は従来技術の説明に使用する必要がある図面を簡単に説明するが、明らかなことに、以下の説明における図面は、本考案のいくつかの実施例に過ぎない。当業者であれば、創造的な工夫をせずに、これらの図面により他の図面を取得することができる。
【００１６】
【図１】本考案の実施形態に係るファン付き照明器具の斜視図である。
【図２】本考案の実施形態に係るファン付き照明器具の構造を示す分解図である。
【図３】本考案の実施形態に係るファン付き照明器具のバックファンガードの斜視図である。
【考案を実施するための形態】
【００１７】
本願が解決しようとする技術的問題、技術的解決手段及び考案の効果をより分かりやすくするために、以下に添付図面及び実施例を参照しながら、本考案について詳しく説明する。ここで記載した具体的な実施例は本考案を説明するためのものに過ぎず、本考案を限定するためのものではないことを理解されたい。
【００１８】
ある部材が別の部材に「固定」又は「設置」されると称する場合に、それが別の部材に直接的または間接的に位置するようにしてもよい。ある部材が別の部材に「連結」されると称する場合に、それは、別の部材に直接的または間接的に連結されるようにしてもよいことに留意されたい。
【００１９】
本考案の説明において、「長さ」、「幅」、「上」、「下」、「前」、「後」、「左」、「右」、「垂直」、「水平」、「頂」、「底」、「内」、「外」などの用語が示した方位又は位置関係は、図面に示された方位又は位置関係に基づいて本考案を説明しやすく及び簡単化するためのものに過ぎず、装置又は部品が特定の方位を有しそして特定の方位で構成し操作しなければならないことを指示し又は暗示するためのものではないため、本考案を限定するためものではないことを理解されたい。
【００２０】
また、“第１”、“第２”という用語は説明の目的だけに用いられ、比較的重要性を指示又は暗示するか、あるいは示された技術的特徴の数を黙示的に指示するためのものと理解してはいけない。したがって、“第１”、“第２”などで限定された特徴は、１つまたは複数の該特徴を明示的または暗黙的に含むことができる。本考案の説明において、別途明確且つ具体的な限定がない限り、「複数」とは、二つ以上を意味する。
【００２１】
以下は、本考案の実施形態に係るファン付き照明器具について説明する。
【００２２】
図１と図２に示すように、ファン付き照明器具の一実施形態において、ファン付き照明器具は、ランプベース９と、駆動部材６と、ファンガード１と、ファンブレード（図示せず）と、光源モジュール５と、および導光板４と、を含む。駆動部材６の出力部は、ファンブレードに接続され、駆動部材６が作動すると、ファンブレードが回転して気流を生じる。ファンブレードは、ファンガード１の内側に設けられ、ファンブレードの回転時にユーザーを傷つけるのを防ぐ。駆動部材６はモーターであってもよい。ランプベース９は光源モジュール５に電気的に接続され、ランプベース９が外部電源に接続されると、光源モジュール５に電力を供給できる。光源モジュール５は、ファンガード１に周設され、ファンガード１の空気流出入領域を占有しない。光源モジュール５から発せられた光は導光板４によってさらに均一に放射される。ファンガード１はフロントファンガード１１とバックファンガード１２とを含み、バックファンガード１２には、バックファンガード１２に取り外し可能に連結されたフィルター層７が設けられる。光源モジュール５はフロントファンガード１１とバックファンガード１２との間に設けられてもよい。フロントファンガード１１には空気流出口を備え、バックファンガード１２には空気流入口を備え、ファンブレードが回転すると負圧が生じ、空気がフィルター層７によってろ過した後、空気流入口からファン付き照明器具の内部に入り、空気流入口から吹き出される。空気がフィルター層７によってろ過して浄化されるため、ファン付き照明器具に入った空気が比較的にきれいであり、それゆえ、ファンブレードが回転して静電気を発生しても、ファン付き照明器具の内部に吸着されるダストが少なく、また、ファン付き照明器具から吹き出される空気のダスト含有量も少ないため、二次汚染を回避できる。
【００２３】
上記実施形態におけるファン付き照明器具は、ランプベース９と、駆動部材６と、ファンガード１と、ファンブレードと、光源モジュール５と、導光板４と、を含み、光源モジュール５はファンガード１に周設され、ランプベース９は光源モジュール５を駆動して発光させ、駆動部材６はファンブレードを駆動して回転させる。ファンガード１はフロントファンガード１１とバックファンガード１２とを含み、フロントファンガード１１には空気流出口を備え、バックファンガード１２には空気流入口を備え、バックファンガード１２には、フィルター層７が設けられ、フィルター層７は空気をろ過することができ、空気がろ過された後にファン付き照明器具の内部に入ることができるため、空気流出口から吹き出される空気が浄化された空気であることが保証される。これにより、ダストなどがフィルター層７で一斉にブロックされ、ファン付き照明器具の内部に吸着しない。また、フィルター層７が脱着可能であり、定期的に交換できるため、空気のろ過効果が保証される。
【００２４】
任意選択で、フィルター層７は活性炭層または繊維層である。活性炭層は、内部にランダムに分布する吸着孔を備えた多孔質材料であり、ダストの多い空気が活性炭層を通過すると、ダストはブロックされ、吸着孔内に吸着され、ろ過の目的が達成される。繊維層は、合成繊維層、ガラス繊維層、綿繊維層、長繊維層などであってもよい。
【００２５】
フィルター層７の一実施形態において、フィルター層７の形状は、バックファンガード１２の形状と一致し、バックファンガード１２に密着して設置される。フィルター層７の他の一実施形態において、フィルター層７はカバー形状をしてバックファンガード１２を覆って設けられる。該実施形態において、フィルター層７の面積は空気流入口の面積よりも大きいため、単位時間内にフィルター層７を通過する空気の量は、空気流入口の空気流入量に満足でき、フィルター層７の空気流入に対する抵抗の影響を低減する。
【００２６】
フィルター層の上記いずれかの実施形態において、フィルター層７は、ネジ、バックル、クリップ、または取り外しが容易な接着剤によってバックファンガード１２に取り外し可能に連結されており、フィルター層７を交換する必要がある場合、古いフィルター層７を簡単に取り外し、新しいフィルター層７を置き換えるため、専門のメンテナンス担当者を必要としない。
【００２７】
図２に示すように、ファン付き照明器具の一実施形態において、光源モジュール５と導光板４は両方ともリング状を呈し、且つフロントファンガード１１とバックファンガード１２の間に挟まれて設けられ、光源モジュール５が導光板４の内周側に設けられ、すなわち、光源モジュール５が導光板４の内側に設けられる。光源モジュール５の発光面はファンブレードの中心から離れる方向に向いて設けられ、且つ光源モジュール５の発光面は導光板４の内周側に向き、光源モジュール５から発せられた光は導光板４を通過してから均一に放射される。このような発光方式は側方発光であり、ファン付き照明器具の軸方向の高さを低減でき、ファン付き照明器具の全体積を減らせる。従来の直下式発光において、光源モジュール５の発光面は、ファンブレードの空気流出口に向かって、そして光に十分な混合距離を与えるために、ファン付き照明器具の軸方向に大きなスペースを占有する必要があり、ファン付き照明器具全体が厚くなる。また、直下式発光のファン付き照明器具のファンガード１の後部の縁側には、導光板４を設置するためのスペースを残しておく必要があるため、側方発光のファン付き照明器具と同じ半径方向のスペースを有する場合、直下式発光のファン付き照明器具の空気流入口が小さく、ファンブレードも小さいため、空気の流出に影響する。
【００２８】
図３に示すように、ファン付き照明器具の一実施形態において、ファン付き照明器具は、フロントファンガード１１、導光板４、およびバックファンガード１２を固定するための留め具をさらに含む。フロントファンガード１１またはバックファンガード１２に柱状凸部１２１が突設され、柱状凸部１２１の配置によってフロントファンガード１１とバックファンガード１２との間に隙間が形成され、この隙間はクランプ溝であり、クランプ溝はリング状をしているため、導光板４をクランプ溝に収容することができ、後に導光板４を固定しやすくなる。ここで、柱状凸部１２１は複数であり、ファンガード１の周方向に沿って設けられる。そして、柱状凸部１２１には、留め具に螺合するネジ穴１２２が設けられ、柱状凸部１２１は支持機能だけでなく、連結機能も備える。留め具は、フロントファンガード１１、導光板４、バックファンガード１２を貫通して設けられるため、フロントファンガード１１、バックファンガード１２、および導光板４を固定的に連結する。柱状凸部１２１がフロントファンガード１１に設けられた場合、留め具はバックファンガード１２と導光板４を順番に貫通して柱状凸部１２１に連結する。柱状凸部１２１がバックファンガード１２に設けられた場合、留め具はフロントファンガード１１と導光板４を順番に貫通して柱状凸部１２１に連結する。留め具は任意選択でネジ、ボルト等のネジ部品であってもよい。
【００２９】
任意選択で、ファン付き照明器具は、光源モジュール５の側面を遮断するための遮断リング２をさらに含み、遮断リング２は、留め具によってフロントファンガード１１とバックファンガード１２の間に固定することができ、遮断リング２には、対応して留め具を通過させるための連結孔を開設される。遮断リング２の遮断により、光源モジュール５から発せられた光のほとんどは、導光板４によって導かれるため、光出力を増やすことができる。具体的には、柱状凸部１２１がバックファンガード１２に設けられた場合、遮断リング２は柱状凸部１２１の頂部に当接し、バックファンガード１２の縁側および遮断リング２はそれぞれ光源モジュール５の両側に対する遮断を形成するため、光出力が増大される。
【００３０】
図２に示すように、ファン付き照明器具の一実施形態において、ファン付き照明器具は空気を浄化するためのマイナスイオン発生装置３０２をさらに含み、マイナスイオン発生装置３０２は、ファンブレードの半径方向の側に設けられ、ファンブレードが半径方向でマイナスイオン発生装置３０２を遮断することを防ぐ。マイナスイオン発生装置３０２の発生端部、すなわち、マイナスイオンの放出口がファンブレードに平行に設けられるか、またはファンブレードの空気流出端に設けられるのは、マイナスイオンがファンブレードの回転に生じた静電気によって影響が与えられ、マイナスイオンの空気を浄化する効果が低減されることを防ぐ。さらに具体的には、ファンブレードの空気流入端が上部であり、ファンブレードの空気流出端は下部である場合、マイナスイオン発生装置３０２の発生端部がファンブレードに平行に設けられるか、またはファンブレードの下方に設けられる。
【００３１】
図２に示すように、ファン付き照明器具の一実施形態において、ファン付き照明器具は赤外線受信装置３０１をさらに含み、赤外線受信装置３０１は赤外線リモコンと組み合わせて使用し、赤外線リモコンは信号を発射し、赤外線受信装置３０１は信号を受信した後、制御システムに情報をフィードバックし、制御システムは光源モジュール５の光強度と色温度等を制御し、駆動部材６のスイッチと回転速度等も制御できる。赤外線受信装置３０１は、ファンブレードの側面、すなわち、ファンブレードの半径方向の縁側に設けられ、且つ赤外線受信装置３０１はファンブレードに平行に設けられるか、またはファンブレードの空気流出端の側に設けられ、ファンブレードの回転によって赤外線受信装置３０１の赤外線の受信を妨害するのが回避される。
【００３２】
任意選択で、ファン付き照明器具はマイナスイオン発生装置３０２と赤外線受信装置３０１のいずれか１つ、またはマイナスイオン発生装置３０２と赤外線受信装置３０１の両方を含んでもよい。
【００３３】
さらに、ファンブレードは自体の軸方向における高さはｈであり、すなわち、ファンブレードの空気流入端と空気流出端の間の距離はｈであり、ファンブレードの軸方向の中点をゼロとする。マイナスイオン発生装置３０２はゼロ以下に設けられ、マイナスイオン発生時にファンブレードが発生する静電気の影響を回避でき、マイナスイオンの浄化効果を確保する。赤外線受信装置３０１はゼロ以下に設けられ、ファンブレードの回転によって赤外線の受信を妨害するのが回避される。光源モジュール５はゼロ以下に設けられ、ファンブレードが光を遮断して影が生じることを回避する。
【００３４】
図２と図３に示すように、ファン付き照明器具の一実施形態において、ファンガード１のファンブレードの空気流入端に近い側にホルダー３が設けられ、マイナスイオン発生装置３０２および赤外線受信装置３０１は両方ともにホルダー３に固定されている。ホルダー３を設けることで、マイナスイオン発生装置３０２および赤外線受信装置３０１の取付けを容易にする。さらに、ホルダー３は、ファン付き照明器具の空気流出に影響しないように、バックファンガード１２に設けられる。
【００３５】
任意選択で、ホルダー３の一実施形態において、ホルダー３は、中央部３１と、少なくとも２つの半径方向部３２とを含む。中央部３１は、ファン付き照明器具の中心に設けられ、ファンブレードの中心に対応して配置され、中央部３１は円盤形をしてもよい。半径方向部３２は、中央部３１から放射状に延びて形成され、半径方向部３２は、ファンブレードの縁側を越えるところまで延び、マイナスイオン発生装置３０２および赤外線受信装置３０１がファンブレードの縁側を超えることができるように配置されるため、ファンブレードの回転に影響されない。半径方向部３２の中央部３１から離れた端部を空気流出端に突設され、マイナスイオン発生装置３０２および赤外線受信装置３０１の取付け位置を突出してゼロ以下に設けられる。半径方向部３２の数は、ここでは、限定されない。例えば、半径方向部３２の数は２つであってもよく、マイナスイオン発生装置３０２および赤外線受信装置３０１がそれぞれ２つの半径方向部３２に設けられる。半径方向部３２の数は３つであってもよく、マイナスイオン発生装置３０２および赤外線受信装置３０１は、そのうち２つの半径方向部３２に設けられる。各半径方向部３２は、中央部３１を中心として周方向に均等に配置される。
【００３６】
任意選択で、駆動部材６はファンガード１の内側に設けられ、バックファンガード１２には駆動部材６を収納するためのキャビティが設けられる。中央部３１はキャビティの開口部を遮ることができるため、駆動部材６が中央部３１に遮られており、駆動部材６が保護され、中央部３１へのダストの侵入を防ぐことができる。
【００３７】
任意選択で、ランプベース９はファンガード１の外側に設けられ、ランプベース９とバックファンガード１２は自在軸継手８またはヒンジによって可動的に連結されているため、ファンガード１はランプベース９に対して回転でき、ファンガード１のスイング動作が実現される。
【００３８】
上記は本考案の好ましい実施例に過ぎず、本考案を限定するものではなく、本考案の精神および原則においてなされたあらゆる変更、等価物による置換及び改良等は、本考案の保護範囲に含まれるはずである。
【符号の説明】
【００３９】
１ファンガード
１１フロントファンガード
１２バックファンガード
１２１柱状凸部
１２２ネジ穴
２遮断リング
３ホルダー
３０１赤外線受信装置
３０２マイナスイオン発生装置
３１中央部
３２半径方向部
４導光板
５光源モジュール
６駆動部材
７フィルター層
８自在軸継手
９ランプベース
【図１】
0003225804.tif 000003
【図２】
0003225804.tif 000004
【図３】
0003225804.tif 000005